(57)【要約】【課題】データ放送の視聴を望むユーザに対して、データ放送の有無を確実に知らせることができるデータ放送表示制御装置を提供する。【解決手段】データ放送表示制御装置は、ＤＳＭＣＣデータ及びＡＩＴデータを受信するデータ受信部と、ＡＩＴデータを解析してデータ放送の有無を判断する第１判断部と、第１判断部においてデータ放送有りと判断された場合に、ＤＳＭＣＣデータの内容を解析してデータ放送有無を判断する第２判断部と、第２判断部の判断結果に応じて、表示画面にデータ放送有無を表示させる表示制御部と、を備え、第２判断部は、第１判断部の判断結果がデータ放送有りを示す場合に、ＤＳＭＣＣデータの内容を解析し、ＤＳＭＣＣデータに表示データが存在する場合またはアプリケーションにリモコンキー操作処理がある場合に、データ放送有りと判断する。【選択図】図２
2012256997.tif 000002
【特許請求の範囲】
【請求項１】
ＤＳＭＣＣデータ及びＡＩＴデータを受信するデータ受信部と、
受信された前記ＡＩＴデータを解析して、データ放送有無を判断するデータ放送有無第１判断部と、
受信された前記ＤＳＭＣＣデータの内容を解析してデータ放送有無を判断するデータ放送有無第２判断部と、
前記データ放送有無第２判断部の判断結果に応じて、表示画面にデータ放送有無を表示させる表示制御部と、を備え、
前記データ放送有無第２判断部は、前記データ放送有無第１判断部の判断結果がデータ放送有りを示す場合に、前記ＤＳＭＣＣデータの内容を解析し、前記ＤＳＭＣＣデータに表示データが存在する場合またはアプリケーションにリモコンキー操作処理がある場合に、データ放送有りと判断する、ことを特徴とするデータ放送表示制御装置。
【請求項２】
ＤＳＭＣＣデータ及びＡＩＴデータを受信するデータ受信ステップと、
受信された前記ＡＩＴデータを解析して、データ放送有無を判断するデータ放送有無第１判断ステップと、
受信された前記ＤＳＭＣＣデータの内容を解析してデータ放送有無を判断するデータ放送有無第２判断ステップと、
前記データ放送有無第２判断ステップの判断結果に応じて、表示画面にデータ放送有無を表示させる表示制御ステップと、を有し、
前記データ放送有無第２判断ステップは、前記データ放送有無第１判断ステップの判断結果がデータ放送有りを示す場合に、前記ＤＳＭＣＣデータの内容を解析し、前記ＤＳＭＣＣデータに表示データが存在する場合またはアプリケーションにリモコンキー操作処理がある場合に、データ放送有りと判断する、ことを特徴とするデータ放送有無表示制御方法。
【発明の詳細な説明】
【技術分野】
【０００１】
本発明は、データ放送の有無をユーザに通知することが可能なデータ放送表示制御装置およびデータ放送有無表示制御方法に関するものである。
【背景技術】
【０００２】
デジタルデータ放送において、ＡＩＴ（Ａｐｐｌｉｃａｔｉｏｎ  Ｉｎｆｏｒｍａｔｉｏｎ  Ｔａｂｌｅ）を用いたデータ放送には、現在、欧州のテレビ放送規格であるＤＶＢ（Ｄｉｇｉｔａｌ  Ｖｉｄｅｏ  Ｂｒｏａｄｃａｓｔｉｎｇ）規格のＭＨＰ（Ｍｕｌｔｉｍｅｄｉａ  Ｈｏｍｅ  Ｐｌａｔｆｏｒｍ）やブラジルのテレビ放送規格であるＳＢＴＶＤ規格のＧＩＮＧＡがある。ここで、ＡＩＴはその内部に動作状態を制御する値（ｃｏｎｔｒｏｌ_ｃｏｄｅ）を持ち、ｃｏｎｔｒｏｌ_ｃｏｄｅが１（ＡＵＴＯ＿ＳＴＡＲＴ）や２（ＰＲＥＳＥＮＴ）のとき、アプリケーションを起動したり提示したりすることができる。
【０００３】
通常、データ放送を受信可能なデータ放送表示制御装置は、ユーザに対して、現在データ放送中であることを通知するために、画面上にデータ放送有無を示す表示を行う。このデータ放送有無を判定する方法としては、一般的にＡＩＴのｃｏｎｔｒｏｌ_ｃｏｄｅが１（ＡＵＴＯ＿ＳＴＡＲＴ）や２（ＰＲＥＳＥＮＴ）のとき、データ放送有りと判断する方法がある。また、特許文献１のようにカルーセルデータのデータ本体であるＤＤＢ（Ｄｏｗｎｌｏａｄ  Ｄａｔａ  Ｂｌｏｃｋ）の有無で判断する方法もある。
【先行技術文献】
【特許文献】
【０００４】
【特許文献１】特開２０１０−０６２９６６号公報
【発明の概要】
【発明が解決しようとする課題】
【０００５】
ところで、データ放送が試験放送中などの場合では、ＡＩＴが送出され、そのｃｏｎｔｒｏｌ＿ｃｏｄｅがＡＵＴＯ＿ＳＴＡＲＴやＰＲＥＳＥＮＴである場合であっても、実際にはデータ放送データが送出されていない場合がある。
【０００６】
上記場合に、ＡＩＴのｃｏｎｔｒｏｌ＿ｃｏｄｅの値のみでデータ放送有無を決定した場合、データ放送が始まらないにもかかわらず、データ放送有りと表示することになり、ユーザはデータ放送が送出されていると考えるが実際には表示画面上にデータ放送が表示されない状態になり、ユーザに混乱を与えてしまうという問題があった。このような現象は、試験放送中だけでなく、放送局の送出オペレーションミスなどの放送事故で送出側の意図しない送出がなされた場合にも起こり得る。
【０００７】
また、カルーセルデータのデータ本体であるＤＤＢの有無で判断したとしても、データ自体、意味のないデータであったり空のデータであった場合には、表示画面上にデータ放送有りと表示されるのにデータ放送の動作結果がユーザに認識されず、データ放送が始まらないと考えられ、ユーザに混乱を与えてしまうという問題があった。
【０００８】
更に、データ放送が放送されていたとしても、そのデータ放送がユーザに対して通常のテレビ放送とは異なるデータ放送を行っていることが認識できない内容の場合、ユーザにとってはデータ放送がないのと同じ意味になり、データ放送が始まらないととらえられ、ユーザに混乱を与えてしまうという問題もあった。
【０００９】
そのため上記の問題に対してユーザがデータ放送有りと認識するためには、画面上に何らかのデータ放送による画像やテキストなどの表示が必要である。そして、ユーザ操作が通常のテレビでの操作と異なっている必要がある。つまり、ユーザが操作するリモコンキーをアプリケーションが取得し、何らかのアクションを行うものである必要がある。
【００１０】
本発明は、データ放送の視聴を望むユーザに対して、データ放送の有無を確実に知らせることができるデータ放送表示制御装置およびデータ放送有無表示制御方法を提供することを目的とする。
【課題を解決するための手段】
【００１１】
この課題を解決するために、本発明のデータ放送表示制御装置は、ＤＳＭＣＣデータ及びＡＩＴデータを受信するデータ受信部と、受信されたＡＩＴデータを解析してデータ放送の有無を判断する第１判断部と、第１判断部においてデータ放送有りと判断された場合に、受信されたＤＳＭＣＣデータの内容を解析してデータ放送有無を判断する第２判断部と、第１判断部及び第２判断部の判断結果に応じて、表示画面にデータ放送有無を表示させる表示制御部と、を備え、第２判断部は、第１判断部の判断結果がデータ放送有りを示す場合に、ＤＳＭＣＣデータの内容を解析し、ＤＳＭＣＣデータに表示データが存在する場合またはアプリケーションにリモコンキー操作処理がある場合に、データ放送有りと判断する。
【発明の効果】
【００１２】
本発明によれば、ユーザにとって意味のあるデータ放送が実際に表示可能である場合にだけ、データ放送有りをユーザに知らせることができ、試験放送や放送事故等の場合でも、データ放送有りと誤解することがなくなり、ユーザの利便性を向上させることができる。
【図面の簡単な説明】
【００１３】
【図１】本発明の実施の形態１におけるデータ放送表示制御装置の構成を示すブロック図
【図２】本発明の実施の形態１におけるデータ放送有無判定処理を示すフローチャート
【発明を実施するための形態】
【００１４】
以下本発明を実施するための形態について、図面を参照しながら説明する。
【００１５】
（実施の形態１）
図１は本発明の実施の形態１におけるデータ放送表示制御装置の構成を示すブロック図である。データ放送表示制御装置は、データ受信部１０１と、データ放送有無第１判断部１０２と、データ放送有無第２判断部１０３と、表示制御部１０４とから構成される。
【００１６】
データ受信部１０１は、選局中のデジタル放送からＤＳＭＣＣ（Ｄｉｇｉｔａｌ  Ｓｔｏｒａｇｅ  Ｍｅｄｉａ−Ｃｏｍｍａｎｄ  ａｎｄ  Ｃｏｎｔｒｏｌ）データ及びＡＩＴデータを抽出して、データ放送有無第１判断部１０２及びデータ放送有無第２判断部１０３へ出力する。
【００１７】
データ放送有無第１判断部１０２は、データ受信部１０１が受信したＡＩＴデータを解析してデータ放送の有無を判断する。具体的には、ｃｏｎｔｒｏｌ＿ｃｏｄｅの値が１（ＡＵＴＯＳＴＡＲＴ）または２（ＰＲＥＳＥＮＴ）かどうかを判定し、１または２の場合であって、かつデータ受信部１０１がＤＳＭＣＣデータを受信している場合に、データ放送有りと判断して、判断結果をデータ放送有無第２判断部１０３へ出力する。
【００１８】
データ放送有無第２判断部１０３は、データ放送有無第１判断部１０２においてデータ放送有りと判断された場合に、データ受信部１０１が受信したＤＳＭＣＣデータの内容を解析して、表示データ（画像データや文字などの何らかの表示要素）が存在する場合、またはアプリケーションにリモコンキー操作処理がある場合（アプリケーションにリモコンコードを取得し操作する記述があった場合）にデータ放送有りと判断して、判断結果を表示制御部１０４へ出力する。
【００１９】
表示制御部１０４は、データ放送有無第２判断部の判断結果に応じて、表示部（図示せず）の表示画面にデータ放送有無を表示させる制御を行う。ここで、データ放送表示制御装置は表示部（図示せず）を構成要素として含んでいても良いし、あるいはデータ放送有無を表示させる指示をネットワーク等で接続された表示部（図示せず）に出力する構成であっても良い。
【００２０】
次に、本発明のデータ放送表示制御装置のデータ放送有無判定処理について、図２のフローチャートを用いて詳述する。
【００２１】
ステップＳ１０１では、データ放送有無第１判断部１０２においてデータ受信部１０１が受信したＡＩＴデータを解析する。そして、ｃｏｎｔｒｏｌ_ｃｏｄｅの値が１（ＡＵＴＯＳＴＡＲＴ）または２（ＰＲＥＳＥＮＴ）の場合であって、かつＤＳＭＣＣデータが受信された場合（ステップＳ１０１で「ＹＥＳ」）、データ放送有りと判断してステップＳ１０２へ進み、そうでなければ（ステップＳ１０１で「ＮＯ」）、データ放送なしと判断してステップＳ１０６へ進む。
【００２２】
ステップＳ１０２では、データ放送有無第２判断部１０３においてデータ受信部１０１が受信したＤＳＭＣＣデータの中身のアプリケーションを解析し、ステップＳ１０３の判断処理へ進む。
【００２３】
ステップＳ１０３では、解析の結果としてアプリケーションが画像データや文字など何らかの表示要素を含むものであった場合は（ステップＳ１０３で「ＹＥＳ」）、ステップＳ１０５へ進み、そうでなければ（ステップＳ１０３で「ＮＯ」）、ステップＳ１０４へ進む。
【００２４】
ステップＳ１０４では、解析の結果、アプリケーションにリモコンコードを取得し操作する記述があった場合には（ステップＳ１０４で「ＹＥＳ」）、ステップＳ１０５へ進み、そうでなければ（ステップＳ１０４で「ＮＯ」）ステップＳ１０６へ進む。
【００２５】
ステップＳ１０５では、表示部（図示せず）の表示画面にデータ放送有りを示す情報を表示する制御を行う。ステップＳ１０６では、表示部（図示せず）の表示画面上にデータ放送なしを示す情報を表示する制御を行うかデータ放送有りを示す情報を表示しない制御を行う。
【００２６】
なお、本実施の形態では、データ放送有りを示す情報を表示部（図示せず）に表示する構成となっているが、ＬＥＤを用いたり音声を用いてもよい。
【００２７】
また、データ放送の形態が、ＢＭＬ（Ｂｒａｏｄｃａｓｔ  Ｍａｒｋｕｐ  Ｌａｎｇｕａｇｅ）やＮＣＬ（Ｎｅｓｔｅｄ  Ｃｏｎｔｅｘｔ  Ｌａｎｇｕａｇｅ）などの提示側文書の場合でも同様の判断を行うことができる。
【産業上の利用可能性】
【００２８】
本発明のデータ放送表示制御装置は、データ放送の視聴を望むユーザに対して、データ放送の有無を確実に知らせることができるので、テレビやセットトップボックスなどに有用である。
【符号の説明】
【００２９】
１０１    データ受信部
１０２    データ放送有無第１判断部
１０３    データ放送有無第２判断部
１０４    表示制御部
【図１】
2012256997.tif 000003
【図２】
2012256997.tif 000004